(57)【特許請求の範囲】
【請求項１】
矩形の床パネルの四隅を下方から支持するために一体形成された支持脚ユニットを複数連結した二重床パネル構造において、
所定の床パネルの中央を下方から支持すると共に、前記支持脚ユニットに対して着脱可能に接続する追加支持脚体を備え、
前記支持脚ユニットは、
一枚の床パネルの四隅及び前記床パネルに隣接して敷設される他の床パネルの四隅の一部を支持する四つの支持脚部と、
前記支持脚部同士を対角線方向において結合する帯状結合体と、
前記支持脚部の外側面に形成される連結部と、
を備え、
前記追加支持脚体は、
前記支持脚部の中心位置であって前記帯状結合体が存在しない第二中心位置に配置される脚体本体と、
前記脚体本体から対角線方向に延在して前記支持脚部に対して着脱可能に接続する第二接続部と、
を一体形成した第二追加支持脚体を備える
ことを特徴とする二重床パネル構造。
【請求項２】
前記追加支持脚体は、
前記中心位置のうち、前記帯状結合体が存在する第一中心位置に配置されて、前記帯状結合体に対して着脱可能に接続する第一追加支持脚体を備えることを特徴とする請求項１に記載の二重床パネル構造。
【請求項３】
前記第一追加支持脚体の底面に、前記帯状結合体の四つの帯部のそれぞれを幅方向において挟持する四つの溝部からなる第一接続部が形成されることを特徴とする請求項２に記載の二重床パネル構造。
【請求項４】
前記第二接続部は、前記支持脚部の外周面に絡み付く鉤形に形成されることを特徴とする請求項１に記載の二重床パネル構造。
【発明の詳細な説明】
【技術分野】
【０００１】
本発明は、二重床パネル構造に関する。
【背景技術】
【０００２】
オフィス等のＯＡ化の進展に伴い、床下配線を可能にするため二重床パネル構造が多数提案されている。例えば、高さ調節機能を備えない支持脚を用いて施工の容易性を優先した、いわゆる置敷きタイプと称される二重床がある。
【０００３】
置敷きタイプの二重床パネル構造では、格子状に敷設した四枚の床パネルのそれぞれの四隅に支持脚を配置し、一つの支持脚で複数枚の床パネルの四隅（集合隅部）を支持することにより、支持脚の使用個数を少なくするように工夫したものがある。
【０００４】
このような形態の床パネル構造では、施工時に、支持脚の規則的配置に多大な手間と時間を要する。このため、四つの支持脚を一体化した支持脚ユニットを形成し、この支持脚ユニットを複数連結させる二重床パネル構造が提案されている（特許文献１）。
【先行技術文献】
【特許文献】
【０００５】
【特許文献１】特許第４７３１４４９号公報
【発明の概要】
【発明が解決しようとする課題】
【０００６】
支持脚ユニットでは、四つの支持脚の配置間隔が大きい。このため、重荷重に対応しづらいという問題がある。そこで、四つの支持脚の中央などに支持脚を配置して一体化した支持脚ユニットを形成することが考えられる。
しかし、連結された複数の支持脚ユニットのうち、重荷重を受ける支持脚ユニットは限られている。このため、全ての支持脚ユニットの耐荷重（許容荷重）を大きくするのは非効率であり、支持脚ユニットの製品コスト上昇を招いてしまう。
【０００７】
本発明は、重荷重に対して柔軟に対応可能であると共に、支持脚ユニットのコスト上昇を抑えることができる二重床パネル構造を提案することを目的とする。
【課題を解決するための手段】
【０００８】
本発明に係る二重床パネル構造は、矩形の床パネルの四隅を下方から支持するために一体形成された支持脚ユニットを複数連結した二重床パネル構造において、所定の床パネルの中央を下方から支持すると共に、前記支持脚ユニットに対して着脱可能に接続する追加支持脚体を備えることを特徴とする。
【０００９】
前記支持脚ユニットは、一枚の床パネルの四隅及び前記床パネルに隣接して敷設される他の床パネルの四隅の一部を支持する四つの支持脚部と、前記支持脚部同士を対角線方向において結合する帯状結合体と、前記支持脚部の外側面に形成される連結部と、を備えることを特徴とする。
【００１０】
前記追加支持脚体は、前記中心位置のうち、前記帯状結合体が存在する第一中心位置に配置されて、前記帯状結合体に対して着脱可能に接続する第一追加支持脚体を備えることを特徴とする。
【００１１】
前記第一追加支持脚体の底面に、前記帯状結合体の四つの帯部のそれぞれを幅方向において挟持する四つの溝部からなる第一接続部が形成されることを特徴とする。
【００１２】
前記追加支持脚体は、前記中心位置のうち、前記帯状結合体が存在しない第二中心位置に配置される脚体本体と、前記第二追加脚部から対角線方向に延在して前記支持脚体に対して着脱可能に接続する第二接続部と、を一体形成した第二追加支持脚体を備えることを特徴とする。
【００１３】
前記第二接続部は、前記支持脚体の外周面に絡み付く鉤形に形成されることを特徴とする。
【発明の効果】
【００１４】
本発明に係る二重床パネル構造は、重荷重に対して柔軟に対応することができる。また、支持脚ユニットのコスト上昇を抑えることができる。
【図面の簡単な説明】
【００１５】
【図１】本発明の実施形態に係る二重床パネル構造を示す平面図である。
【図２】支持脚ユニットの平面図である。
【図３】支持脚ユニットの支持脚体の拡大平面図である。
【図４】支持脚体の正面図である。
【図５】支持脚ユニット同士の連結構造（連結前）を示す拡大平面図である。
【図６】支持脚ユニット同士の連結構造（連結後）を示す拡大平面図である。
【図７】支持脚ユニットの配置（連結）パターンを示す平面図である。
【図８】第一追加支持脚体を示す三面図である。
【図９】第二追加支持脚体を示す三面図である。
【図１０】支持脚体の変形例を示す拡大平面図及び拡大斜視図である。
【発明を実施するための形態】
【００１６】
以下、本発明の実施形態について図面を参照して説明する。
図１は、本発明の実施形態に係る二重床パネル構造Ｓを示す平面図である。
床面Ｆに垂直な方向を上下方向（図１において紙面前後方向）、床面Ｆに平行な方向のうちの一方向を左右方向（図１において紙面左右方向）、床面Ｆに平行な方向のうち左右方向に直交する方向を前後方向（図１において紙面上下方向）とする。
【００１７】
本発明の実施形態に係る二重床パネル構造Ｓは、床面Ｆ上に、複数の支持脚ユニットＵＬを連結配置した上で、さらに追加支持脚体Ｅを必要に応じて任意に配置したものである。そして、二重床パネル構造Ｓの上面に、複数の矩形の床パネルＰが格子状に敷設される。
【００１８】
図２は、支持脚ユニットＵＬの平面図である。
支持脚ユニットＵＬは、４つの支持脚部Ａ，Ｂ，Ｃ，Ｄを結合体５によって連結し、一体化したものである。支持脚ユニットＵＬは、例えばポリプロピレン樹脂等の合成樹脂材料により一体成形される。
４つの支持脚部Ａ，Ｂ，Ｃ，Ｄは、同一高さの８つの支持脚体１，２，３，４，１１，２１，３１，４１を備える。
【００１９】
４つの支持脚体１，２，３，４は、平面（上方）から見て四角形をなるように配置される。４つの支持脚体１，２，３，４は、１枚の矩形の床パネルＰの下面側の四隅を下方から支持する。
結合体５は、４つの支持脚体１，２，３，４の側面からを対角線方向に延びて、４つの支持脚体１，２，３，４を結合する。結合体５は、平面から見てＸ形をなす４つの平帯形の帯部５ａからなる。
【００２０】
図３は、支持脚ユニットＵＬの支持脚体３，３１の拡大平面図である。図４は、支持脚体の３，３１の拡大正面図である。
【００２１】
支持脚体１，２，３，４の左右方向の外側面に、支持脚体１１，２１，３１，４１が配置される。支持脚体１１，２１，３１，４１は、支持脚体１，２，３，４及び結合体５と共に一体成形される。
支持脚ユニットＵＬの支持脚体１の左側には、支持脚体１と対称な形状の支持脚体１１が配置される。同様に、支持脚体２の左側には、支持脚体２と対称な形状の支持脚体２1が配置される。
一方、支持脚体３の右側には、支持脚体３と対称な形状の支持脚体３１が配置される。同様に、支持脚体４の右側には、支持脚体４と対称な形状の支持脚体４１が配置される。
【００２２】
支持脚体１，２，３，４と支持脚体１１，２１，３１，４１は、隙間ｇを介して並んで立設する。支持脚体１，２，３，４と支持脚体１１，２１，３１，４１は、それぞれ下端の底部ｂで連結される。
支持脚体１１，２１，３１，４１は、支持脚体１，２，３，４が支持する床パネルＰの左右側にそれぞれに隣り合う２枚の他の床パネルＰ（左右両隣の床パネル）を支持する。支持脚体１１，２１，３１，４１は、２枚の他の床パネルＰの四隅のうち、床パネルＰ（中央の床パネル）に隣接する２つの隅部を支持する。
【００２３】
支持脚体１，２，３，４及び支持脚体１１，２１，３１，４１は、それぞれ上面中心に円形の浅いドーム状の膨出部８が形成される。これらの膨出部８は、支持する床パネルＰに加わる衝撃を緩和するための緩衝部である。
支持脚体１，２，３，４及び支持脚体１１，２１，３１，４１は、四角柱形のカップ状に形成され、内部に複数の補強リブを有している。
【００２４】
隙間ｇの幅は、２枚の床パネルＰの２つの側縁を一緒に密に挿入できる程度の幅である。隙間ｇの上方部位には、保持舌片６が形成される。保持舌片６は、１枚の床パネルＰにおける１つの立壁状の側縁に弾力的に当接する。隙間ｇは、敷設前においては、１枚の床パネルＰしかセットできない。保持舌片６は、２枚目のパネルの側縁が隙間ｇに挿入されることによって、切り離されるように変形する（特許文献１参照）。
【００２５】
図５は、支持脚ユニットＵＬ同士の連結構造（連結前）を示す拡大平面図である。図６は、支持脚ユニットＵＬ同士の連結構造（連結後）を示す拡大平面図である。
支持脚ユニットＵＬの支持脚体１，２，３，４，１１，２１，３１，４１の前後方向の外面には、雄部材７ａ及び雌部材７ｂからなる連結部７が形成される。
連結部７は、平面視Ｔ字形の雄部材７ａとこの雄部材７ａを前方から抱持する壁付きの平面視Ｃ字形の雌部材７ｂとから形成される。
【００２６】
支持脚体１の前方向の外面には雄部材７ａが、支持脚体１１の前方向の外面には雌部材７ｂが形成される。支持脚体２の後方向の外面には雌部材７ｂが、支持脚体２１の後方向の外面には雄部材７ａが形成される。支持脚体３の後方向の外面には雄部材７ａが、支持脚体２１の後方向の外面には雌部材７ｂが形成される。支持脚体４の前方向の外面には雌部材７ｂが、支持脚体１１の前方向の外面には雄部材７ａが形成される。
【００２７】
図７は、支持脚ユニットＵＬの配置（連結）パターンを示す平面図である。
複数の支持脚ユニットＵＬは、それぞれの連結部７を介して市松模様状若しくは千鳥格子状に連結される。
例えば、一方の支持脚ユニットＵＬの支持脚体３，３１の連結部７（雄部材７ａ、雌部材７ｂ）と他方の支持脚ユニットＵＬの支持脚体１，１１の連結部７（雌部材７ｂ、雄部材７ａ）がそれぞれ嵌合する。
同様に、一方の支持脚ユニットＵＬの支持脚体２，２１の連結部７（雌部材７ｂ、雄部材７ａ）と他方の支持脚ユニットＵＬの支持脚体４，４１の連結部７（雄部材７ａ、雌部材７ｂ）がそれぞれ夫々に上から嵌合する。
【００２８】
図７に示すように、複数の支持脚ユニットＵＬに対して、それぞれ床パネルＰを載置する。同一の支持脚ユニットＵＬにおける支持脚体１，２，３，４に対して１枚の床パネルＰを載置する。また、異なる支持脚ユニットＵＬにおける支持脚体１１，２１，３１，４１に対して１枚の床パネルＰを載置する。
【００２９】
同一の床パネルＰを支持する支持脚体１，２，３，４及び支持脚体１１，２１，３１，４１は、配置間隔が大きい。このため、床パネルＰ上に重量物が設置された場合には、床パネルＰの中央が下方側に凹んでしまう場合がある。
このように、床パネルＰ上に重量物が設置される場合には、図１に示すように、支持脚体１，２，３，４及び支持脚体１１，２１，３１，４１の中央位置Ｃ１，Ｃ２に、追加支持脚体Ｅ（第一追加支持脚体８０、第二追加支持脚体９０）を配置する。
【００３０】
追加支持脚体Ｅは、支持脚ユニットＵＬとは別個に形成される。また、追加支持脚体Ｅは、支持脚ユニットＵＬに対して着脱可能である。したがって、追加支持脚体Ｅは、重量物が設置される可能性がある床パネルＰの中央下面側にのみ、選択的に設置される。
【００３１】
図８は、第一追加支持脚体８０を示す三面図であって、（ａ）は平面図、（ｂ）は側面図、（ｃ）は（ａ）におけるVIIIc−VIIIc断面図である。
追加支持脚体Ｅのうちの第一追加支持脚体８０は、同一の支持脚ユニットＵＬの支持脚体１，２，３，４の中心位置Ｃ１に配置される。
第一追加支持脚体８０は、上部側が下部側よりも若干小径の円柱形のカップ状に形成され、内部に複数の補強リブを有している。第一追加支持脚体８０は、支持脚体１，２，３，４と同一高さを有する。
第一追加支持脚体８０は、上面中心に円形の浅いドーム状の膨出部８１が形成される。膨出部８１は、膨出部８と同様に、支持する床パネルＰに加わる衝撃を緩和するための緩衝部である。
【００３２】
第一追加支持脚体８０の底面部は、平面から見て略矩形のフランジが形成される。このフランジには、中心位置Ｃ１に存在する結合体５を保持するように接する接続部８２が形成される。
接続部８２は、底面部のフランジに形成された４つの溝部８２ａからなる。４つの溝部８２ａは、第一追加支持脚体８０の中心から外周方向に向けて、９０°間隔で形成される。４つの溝部８２ａの幅と深さは、結合体５の４つの帯部５ａの幅と厚みに対応する。
このため、支持脚ユニットＵＬの支持脚体１，２，３，４の中心位置Ｃ１に存在する結合体５の上面に第一追加支持脚体８０を載置すると、第一追加支持脚体８０の４つの溝部８２ａ（接続部８２）が結合体５の４つの帯部５ａに嵌まり込む。
したがって、第一追加支持脚体８０は、支持脚ユニットＵＬの支持脚体１，２，３，４の中心位置Ｃ１に配置されると、平行方向の移動と垂直軸回りの回転が規制される。
【００３３】
図９は、第二追加支持脚体９０を示す三面図であって、（ａ）は平面図、（ｂ）は（ａ）におけるIXb−IXb断面図である。
追加支持脚体Ｅのうちの第二追加支持脚体９０は、異なる支持脚ユニットＵＬの支持脚体１１，２１，３１，４１の中心位置Ｃ２に配置される。中心位置Ｃ２は、中心位置Ｃ１とは異なって、支持脚ユニットＵＬの結合体５等は存在しない。
第二追加支持脚体９０は、小径の円柱形のカップ状に形成されて内部に複数の補強リブを有する脚体本体９１を有する。脚体本体９１は、支持脚体１１，２１，３１，４１と同一高さを有する。
脚体本体９１は、上面中心に円形の浅いドーム状の膨出部９２が形成される。膨出部９２は、膨出部８と同様に、支持する床パネルＰに加わる衝撃を緩和するための緩衝部である。
【００３４】
脚体本体９１の側面には、相反する方向に延びる２つの平帯形の接続部９３が一体形成される。接続部９３は、平面から見て、脚体本体９１を中心にして直線形をなす帯部９３ａと帯部９３ａの先端側において鉤形に折れ曲がる係合部９３ｂとからなる。
２つの平帯形の接続部９３（帯部９３ａ）は、支持脚ユニットＵＬの結合体５の４つの帯部５ａと同一の幅と厚みに形成される。
【００３５】
接続部９３の先端側の係合部９３ｂは、連結部７を介して連結された支持脚体１，１１，３，３１又は支持脚体２，２１，４，４１の外周面に絡み付くように折れ曲がった鉤形に形成される。
このため、支持脚ユニットＵＬの支持脚体１１，２１，３１，４１の中心位置Ｃ２に、第二追加支持脚体９０を配置する際には、脚体本体９１を中心位置Ｃ２に配置した上で、２つの接続部９３を対角方向に存在する支持脚体１，１１，３，３１又は支持脚体２，２１，４，４１の外周面に係合させる。
これにより、第二追加支持脚体９０は、支持脚ユニットＵＬの支持脚体１１，２１，３１，４１の中心位置Ｃ２に配置されると、平行方向の移動と垂直軸回りの回転が規制される。
【００３６】
図１に示すように、複数の支持脚ユニットＵＬを市松模様状若しくは千鳥格子状に連結した上で、支持脚体１，２，３，４の中心位置Ｃ１又は支持脚体１１，２１，３１，４１の中心位置Ｃ２に、追加支持脚体Ｅ（第一追加支持脚体８０、第二追加支持脚体９０）を配置する。
そして、支持脚体１，２，３，４及び第一追加支持脚体８０に対して１枚の床パネルＰを載置する。また、支持脚体１１，２１，３１，４１及び第二追加支持脚体９０に対して１枚の床パネルＰを載置する。
【００３７】
このように、二重床パネル構造Ｓによれば、複数の支持脚ユニットＵＬを連結した上で、支持脚体１，２，３，４，１１，２１，３１，４１の中心位置Ｃ１，Ｃ２に、追加支持脚体Ｅ（第一追加支持脚体８０、第二追加支持脚体９０）を配置したので、１枚の床パネルＰを四隅と中央で支持することができる。このため、重荷重が加わっても床パネルＰが下方側に凹んでしまうことがない。したがって、重荷重を安定して支持することができる。
【００３８】
特に、追加支持脚体Ｅ（第一追加支持脚体８０、第二追加支持脚体９０）は、中心位置Ｃ１，Ｃ２に対して着脱可能に配置できるので、中心位置Ｃ１，Ｃ２のうち重荷重が加わるところにのみ選択的に配置できる。
このため、二重床パネル構造Ｓの設置時間・効率が低下することがない。二重床パネル構造Ｓのコストを必要最小限に抑えることができる。また、支持脚ユニットＵＬ自体のコスト上昇もない。
【００３９】
なお、上述した実施形態において示した動作手順、あるいは各構成部材の諸形状や組み合わせ等は一例であって、本発明の主旨から逸脱しない範囲において設計要求等に基づき種々変更可能である。
【００４０】
第一追加支持脚体８０及び第二追加支持脚体９０の両者を追加配置する場合について説明したが、これに限らない。第一追加支持脚体８０のみ又は第二追加支持脚体９０のみを追加配置する場合であってもよい。
【００４１】
第二追加支持脚体９０の２つの接続部９３（帯部９３）が脚体本体９１を中心にして直線形をなす形状について説明したが、これに限らない。２つの接続部９３（帯部９３）が脚体本体９１を中心にして９０°に交差する形状であってもよい。
【００４２】
追加支持脚体Ｅ（第一追加支持脚体８０、第二追加支持脚体９０）は、複数の支持脚ユニットＵＬと床パネルＰを設置された既存の二重床に対して、後から必要に応じて、追加設置する場合であってもよい。
【００４３】
図１０は、支持脚ユニットＵＬの支持脚体３，３１の変形例を示す図であって、（ａ）は拡大平面図、（ｂ）は拡大斜視図である。
上述した実施形態では、支持脚体１〜４１のそれぞれ上面中心に、円形の浅いドーム状の膨出部８が形成される場合について説明したが、これに限らない。図１０（ａ），（ｂ）に示すように、膨出部８に代えて、支持脚体１〜４１のそれぞれ上面の外周縁部の一部に突出部９を形成してもよい。
具体的には、突出部９は、支持脚体１〜４１のそれぞれ上面の外周縁部（四辺）のうち、保持舌片６及び連結部７が形成される側の外周縁部（二辺）に突出して形成される。そして、突出部９は、Ｌ字形に交わる部位が最も高く、端部に向けて徐々に低くなるように形成される。
【符号の説明】
【００４４】
Ｓ…二重床パネル構造、  Ｐ…床パネル、  ＵＬ…支持脚ユニット、  Ａ，Ｂ，Ｃ，Ｄ…支持脚部、  Ｅ…追加支持脚体、  Ｃ１…中心位置（第一中心位置）、  Ｃ２…中心位置（第二中心位置）、  １，２，３，４，１１，２１，３１，４１…支持脚体、  ５…結合体、  ５ａ…帯部、  ７…連結部、  ８０…第一追加支持脚体、  ８２…接続部（第一接続部）、  ８２ａ…溝部、  ９０…第二追加支持脚体、  ９１…脚体本体、  ９３…接続部（第二接続部）、  ９３ｂ…係合部（鉤形）
【図１】
0005898932.tif 000002
【図２】
0005898932.tif 000003
【図３】
0005898932.tif 000004
【図４】
0005898932.tif 000005
【図５】
0005898932.tif 000006
【図６】
0005898932.tif 000007
【図７】
0005898932.tif 000008
【図８】
0005898932.tif 000009
【図９】
0005898932.tif 000010
【図１０】
0005898932.tif 000011